(57)【要約】      （修正有）【課題】例えば、家屋内の建材や接着剤、塗料などから発生するホルムアルデヒドを長期間に亘って常温で酸化することのできる使い勝手の良いホルムアルデヒド常温酸化除去用白金触媒入り収容容器を提供する。【解決手段】粒状アルミナに白金を担持した白金触媒１であって当該白金触媒を内部に多数充填して収容保持した収容容器１０であって、当該収容容器内の当該白金触媒を当該収容容器周囲の外気に直接触れさせる通気部が当該収容容器の少なくとも一部に備わっている。【選択図】図１
0003141139.tif 000002
【実用新案登録請求の範囲】
【請求項１】
粒状アルミナに白金を担持した白金触媒であってホルムアルデヒドを常温酸化除去するホルムアルデヒド常温酸化除去用白金触媒を内部に多数充填して収容保持したホルムアルデヒド常温酸化除去用白金触媒入り収容容器であって、
前記ホルムアルデヒド常温酸化除去用白金触媒入り収容容器内の前記ホルムアルデヒド常温酸化除去用白金触媒を当該ホルムアルデヒド常温酸化除去用白金触媒入り収容容器周囲の外気に直接触れさせる通気部が前記ホルムアルデヒド常温酸化除去用白金触媒入り収容容器の少なくとも一部に備わっていることを特徴とするホルムアルデヒド常温酸化除去用白金触媒入り収容容器。
【請求項２】
前記通気部を有したホルムアルデヒド常温酸化除去用白金触媒入り収容容器全体が網状体からなることを特徴とする請求項１に記載のホルムアルデヒド常温酸化除去用白金触媒入り収容容器。
【請求項３】
前記ホルムアルデヒド常温酸化除去用白金触媒入り収容容器の一部に前記通気部をなす孔が多数形成されていることを特徴とする請求項１に記載のホルムアルデヒド常温酸化除去用白金触媒入り収容容器。
【請求項４】
前記ホルムアルデヒド常温酸化除去用白金触媒入り収容容器は金属からなることを特徴とする請求項１乃至請求項３に記載のホルムアルデヒド常温酸化除去用白金触媒入り収容容器。
【請求項５】
前記ホルムアルデヒド常温酸化除去用白金触媒入り収容容器はプラスチックからなることを特徴とする請求項１乃至請求項３に記載のホルムアルデヒド常温酸化除去用白金触媒入り収容容器。
【請求項６】
前記通気部を介して前記ホルムアルデヒド常温酸化除去用白金触媒入り収容容器内外の空気の通気を強制的に促進させる強制対流装置を設けたことを特徴とする請求項１乃至請求項５に記載のホルムアルデヒド常温酸化除去用白金触媒入り収容容器。
【考案の詳細な説明】
【技術分野】
【０００１】
本考案は、ホルムアルデヒドを常温酸化除去する白金触媒を多数収容したホルムアルデヒド常温酸化除去用白金触媒入り収容容器に関する。
【背景技術】
【０００２】
粒状アルミナに白金を担持した白金触媒が常温でホルムアルデヒドを酸化することが知られている（例えば、非特許文献１参照）。
【非特許文献１】出版社：株式会社Ｊ．Ｉ．Ｐ、雑誌名「環境創造」、ＶＯＬ．７ ＮＯ．９／Ｓｅｐｔｅｍｂｅｒ １９７７，２４頁
【考案の開示】
【考案が解決しようとする課題】
【０００３】
しかしながら、このような白金触媒は、小径の多数の粒状体からなり、例えば、家屋内の建材や接着剤、塗料などから発生する有害物質であるホルムアルデヒドを効率的に除去するのに有用な使い勝手に優れた構造については未だ知られていない。
【０００４】
なお、このようなホルムアルデヒドを活性炭などによって除去する方法は広く知られているが、活性炭はホルムアルデヒドを一定量吸収すると飽和してしまい、その除去機能を長期間維持することができない。
【０００５】
本考案の目的は、例えば、家屋内の建材や接着剤、塗料などから発生するホルムアルデヒドを長期間に亘って常温で酸化することのできる使い勝手の良いホルムアルデヒド常温酸化除去用白金触媒入り収容容器を提供することにある。
【課題を解決するための手段】
【０００６】
上記目的を達成するために本考案に係るホルムアルデヒド常温酸化除去用白金触媒入り収容容器は、
粒状アルミナに白金を担持した白金触媒であってホルムアルデヒドを常温酸化除去するホルムアルデヒド常温酸化除去用白金触媒を内部に多数充填して収容保持したホルムアルデヒド常温酸化除去用白金触媒入り収容容器であって、
前記ホルムアルデヒド常温酸化除去用白金触媒入り収容容器内の前記ホルムアルデヒド常温酸化除去用白金触媒を当該ホルムアルデヒド常温酸化除去用白金触媒入り収容容器周囲の外気に直接触れさせる通気部が前記ホルムアルデヒド常温酸化除去用白金触媒入り収容容器の少なくとも一部に備わっていることを特徴としている。
【０００７】
本発明に係るホルムアルデヒド常温酸化除去用白金触媒入り収容容器によると、簡易な構成を有することによって低コストで製造でき、かつ家屋内の適当な場所に設置しておくことで、例えば、家屋内の建材や接着剤、塗料などから発生するホルムアルデヒドを効果的に常温酸化して除去することができる。
【０００８】
また、従来の活性炭のようにホルムアルデヒドを吸収して飽和状態になると使えなくなるようなタイプではなく、ホルムアルデヒドを常温酸化して二酸化炭素と水という化学的に無害な物質に変化させる白金触媒を収容容器内に多数充填しているので、長期に亘って使用することが可能となる。
【０００９】
また、ホルムアルデヒド常温酸化除去用白金触媒が白金でできていることで、例えば、家屋内の建材や接着剤、塗料などから発生するホルムアルデヒドを長期に亘って常温酸化除去することができる。
【００１０】
また、本考案の請求項２に記載のホルムアルデヒド常温酸化除去用白金触媒入り収容容器は、請求項１に係るホルムアルデヒド常温酸化除去用白金触媒入り収容容器において、
前記通気部を有した収容容器全体が網状体からなることを特徴としている。
【００１１】
このようにホルムアルデヒド常温酸化除去用白金触媒入り収容容器全体が通気部を有した網状体からなることで、通気性を向上させることができ、例えば、家屋内の建材や接着剤、塗料などから発生するホルムアルデヒドを長期に亘って効率的に常温酸化除去することができる。
【００１２】
また、本考案の請求項３に記載のホルムアルデヒド常温酸化除去用白金触媒入り収容容器は、請求項１に係るホルムアルデヒド常温酸化除去用白金触媒入り収容容器において、
前記ホルムアルデヒド常温酸化除去用白金触媒入り収容容器の一部に前記通気部をなす孔が多数形成されている。
【００１３】
このようなホルムアルデヒド常温酸化除去用白金触媒入り収容容器の一部に通気部をなす孔が多数形成されていることで、例えば、家屋内の建材や接着剤、塗料などから発生するホルムアルデヒドを長期に亘って効率的に常温酸化除去することができる。
【００１４】
また、本考案の請求項４に記載のホルムアルデヒド常温酸化除去用白金触媒入り収容容器は、請求項１乃至請求項３に係るホルムアルデヒド常温酸化除去用白金触媒入り収容容器において、
前記ホルムアルデヒド常温酸化除去用白金触媒入り収容容器は金属からなることを特徴としている。
【００１５】
このようにホルムアルデヒド常温酸化除去用白金触媒入り収容容器は金属からなることで、この金属を加熱してホルムアルデヒドの酸化除去効率を向上させることができる。
【００１６】
また、本考案の請求項５に記載のホルムアルデヒド常温酸化除去用白金触媒入り収容容器は、請求項１乃至請求項３に係るホルムアルデヒド常温酸化除去用白金触媒入り収容容器において、
前記ホルムアルデヒド常温酸化除去用白金触媒入り収容容器はプラスチックからなることを特徴としている。
【００１７】
このようにホルムアルデヒド常温酸化除去用白金触媒入り収容容器がプラスチックからなることで、成型性に優れ、ホルムアルデヒド常温酸化除去用白金触媒入り収容容器を低コストで製造することができる。
【００１８】
また、本考案の請求項６に記載のホルムアルデヒド常温酸化除去用白金触媒入り収容容器は、請求項１乃至請求項５に係るホルムアルデヒド常温酸化除去用白金触媒入り収容容器において、
前記通気部を介して前記ホルムアルデヒド常温酸化除去用白金触媒入り収容容器内外の空気の通気を強制的に促進させる強制対流装置を設けたことを特徴としている。
【００１９】
このような強制対流装置を設けることで、ホルムアルデヒド常温酸化除去用白金触媒入り収容容器の周囲の空気を積極的にホルムアルデヒド常温酸化除去用白金触媒に触れさせることができ、例えば、家屋内の建材や接着剤、塗料などから発生するホルムアルデヒドを長期に亘って常温酸化除去することができる。
【考案の効果】
【００２０】
本考案によると、例えば、家屋内の建材や接着剤、塗料などから発生するホルムアルデヒドを長期間に亘って常温で酸化することのできる使い勝手の良いホルムアルデヒド常温酸化除去用白金触媒入り収容容器を提供することができる。
【考案を実施するための最良の形態】
【００２１】
以下、本考案の一実施形態に係るホルムアルデヒド常温酸化除去用白金触媒入り収容容器について図面に基づいて説明する。本実施形態に係るホルムアルデヒド常温酸化除去用白金触媒入り収容容器は、図１に示すように、内部に一定の径の粒状体からなる白金触媒であってホルムアルデヒドを常温酸化除去するホルムアルデヒド常温酸化除去用白金触媒を多数充填して収容保持するホルムアルデヒド常温酸化除去用白金触媒入り収容容器であって、ホルムアルデヒド常温酸化除去用白金触媒入り収容容器内のホルムアルデヒド常温酸化除去用白金触媒をホルムアルデヒド常温酸化除去用白金触媒入り収容容器周囲の外気に直接触れさせる通気部がホルムアルデヒド常温酸化除去用白金触媒入り収容容器全体に備わっている。
【００２２】
なお、以下の説明においては、ホルムアルデヒド常温酸化除去用白金触媒を単に「当該白金触媒」とし、ホルムアルデヒド常温酸化除去用白金触媒入り収容容器を単に「当該収容容器」とする。
【００２３】
白金触媒１は、上記非特許文献１に記載の白金触媒１が用いられ、約２〜３ｍｍ程度の粒状体で構成され、それ自身がホルムアルデヒドを吸収して飽和状態になるとホルムアルデヒド吸収効率がなくなる活性炭のようなホルムアルデヒド除去剤ではなく、ホルムアルデヒドを常温で酸化させて無害な二酸化炭素と水に化学変化させることのできる長期に亘って恒久的に使用可能な白金触媒となっている。
【００２４】
収容容器１０は、全体形状が厚さの薄い円板状をなし、その外形が金属の網体でできている。そして、収容容器内には、白金触媒１が例えば２００個ほど並列に並べてかつ互いに隣接して収容されている。約２００個の白金触媒は、互いに並列に並べることで一層構造になるように網体で収容容器内に保持されるようになっている。そして、各白金触媒１は、収容容器内に充填されている。なお、本実施形態では、収容容器を構成する網体の隙間が通気部としての役目を果している。
【００２５】
また、収容容器１０を構成する網体は金属でできていたが、この代わりに十分な強度を有する樹脂製の網体で構成されていても良い。
【００２６】
図１においては、収容容器１０の周面の一部に吊り下げ用の吊り下げ金具１１が設けられ、この白金触媒の入った容器を例えば室内の空気の流れが十分にあるエアコンの送風口の近くに吊り下げることができる。
【００２７】
これによって、収容容器内に収容容器外のホルムアルデヒドを含んだ空気を網体の間を介して積極的に通気させることができ、空気内のホルムアルデヒドを常温酸化して二酸化炭素と水に変化させ、きれいな空気を室内に循環させることができる。
【００２８】
続いて、上述した当該収容容器の一実施形態の各種変形例について説明する。なお、以下の説明においては、上述した実施形態と同等の構成については対応する符号を付して詳細な説明を省略する。
【００２９】
図２は、本発明の一実施形態に係る当該収容容器の第１変形例を示す斜視図である。これは、図１においては、白金触媒１が多数入った収容容器１０を立てて吊り下げた設置形態を示しているが、図２においては、この多数の白金触媒１の入った収容容器２０を水平にしてこの収容容器２０の上面縁の３点をワイヤー２１で吊り下げてワイヤー２１の上部先端にフック２２を接続してこれを屋内の適当な場所に吊り下げる設置形態をとっている。
【００３０】
このようにしても、屋内の特に空気の対流がある場所にこれを設置すれば、上述した実施形態と同等の作用を発揮することができる。
【００３１】
図３は、本発明の一実施形態に係る当該収容容器の第２変形例を示す斜視図である。これは、図１においては、白金触媒１が多数入った収容容器１０を立てて吊り下げた状態の形態を示しているが、図３は、図２における収容容器２０を水平状態とすることについては共通しているが、第１変形例とは異なり、収容容器３０をテーブルやキッチンカウンタの上に乗せるような複数の脚部３１，３２（図３では２本のみ図示）が設けられている。
【００３２】
図４は、本発明の一実施形態に係る当該収容容器の第３変形例を示す斜視図である。この第３変形例に係る収容容器４０は、上述した網体からなる収容容器１０，２０，３０とは異なり、金属板でできた若干厚みのある中空円板状の周囲に多数の孔を通気孔４１として穿設している。
【００３３】
そして、この中に白金触媒１を一層構造で並べて約２００個収容している。このように多数の孔を通気孔４１として空けておくことによっても、上述した実施形態及び各変形例と同等の効果を発揮することができる。なお、この場合、収容容器４０を金属で作る代わりに樹脂で作っても良い。これによって、収容容器４０を多数製造する場合、低コストで製造することが可能となる。
【００３４】
このようにしても、例えば、屋内の特に空気の対流がある場所にこれを設置すれば、上述した実施形態及びその各種変形例と同等の作用を発揮することができる。
【００３５】
なお、この更なる形態として図１乃至図４に示す多数の白金触媒１が入った収容容器１０，２０，３０，４０の周囲の空気を収容容器内に強制的に供給する空気供給ファンのような強制対流装置を備えても良い。このようなものを備えることで、より空気中のホルムアルデヒドの酸化除去の効率を高めることができる。
【００３６】
また、ここでは図示しないが図３に示す第２変形例に係る白金触媒入りの収容容器３０の下部にヒータなどの加熱体を設けたり、下部が暖かい場所に置いたりしても良い。これによって、空気中のホルムアルデヒドの酸化除去の除去効率をより向上させることができる。
【００３７】
以上説明したように、本考案に係る当該収容容器は、上述した実施形態及びその各種変形例に係る簡易な構成を有することで、低コストで製造でき、かつ家屋内の適当な場所に設置しておくことで例えば、家屋内の建材や接着剤、塗料などから発生するホルムアルデヒドを効果的に常温酸化して除去することができる。
【００３８】
また、ホルムアルデヒドを常温酸化して二酸化炭素と水という化学的に無害な物質に変化させる白金触媒を収容容器内に多数充填しているので、従来の活性炭のようなホルムアルデヒドの吸収が飽和したら使用できなくなるようなタイプのものとは異なり、長期に亘って使用することが可能となる。
【００３９】
なお、上述した白金触媒の個数は２００個として紹介したが、本発明はこの個数に限定されるものではなく、例えば本発明に係る白金触媒入り収容容器を設置する部屋の広さに応じてその数を多くしたり、少なくしたりしても良い。
【００４０】
また、上述した収容容器の材質は、金属又はプラスチックとして紹介したが、本発明における通気孔を有するような形状で収容容器を形成できればどのような材質を用いても構わない。
【００４１】
また、上述の実施形態においては、収容容器を厚さの薄い円板形状、即ち平面視で円形状の容器として紹介したが、収容容器の形状はこれに限定されず平面視で三角形、四角形、又は多角形の収容容器であっても構わない。
【図面の簡単な説明】
【００４２】
【図１】本発明の一実施形態に係る当該収容容器の斜視図である。
【図２】本発明の一実施形態に係る当該収容容器の第１変形例を示す斜視図である。
【図３】本発明の一実施形態に係る当該収容容器の第２変形例を示す斜視図である。
【図４】本発明の一実施形態に係る当該収容容器の第３変形例を示す斜視図である。
【符号の説明】
【００４３】
１    白金触媒
１０    収容容器
１１    吊り下げ金具
２０    収容容器
２１    ワイヤー
２２    フック
３０    収容容器
３１，３２    脚部
４０    収容容器
４１    通気孔
【図１】
0003141139.tif 000003
【図２】
0003141139.tif 000004
【図３】
0003141139.tif 000005
【図４】
0003141139.tif 000006